(57)【要約】【課題】  アライメントマークを容易に認識し、眼鏡レンズの正確な位置にカップを取り付けることができるカップ取付装置を提供する。【解決手段】  眼鏡レンズに加工治具であるカップを取り付けるカップ取付装置において、光を透過するとともに、眼鏡レンズにカップを取り付けるために眼鏡レンズを位置合わせする基準となるアライメントマークを表示可能な透過型の表示手段と、表示手段にアライメントマークを表示させる表示制御手段と、眼鏡レンズにカップを取り付けるカップ取付手段と、を備え、表示手段越しに眼鏡レンズを観察し、眼鏡レンズとアライメントマークとを位置合わせすることで、眼鏡レンズにカップを取り付ける。【選択図】      図１
2020049631.tif 000002
【特許請求の範囲】
【請求項１】
眼鏡レンズに加工治具であるカップを取り付けるカップ取付装置において、
光を透過するとともに、前記眼鏡レンズに前記カップを取り付けるために前記眼鏡レンズを位置合わせする基準となるアライメントマークを表示可能な透過型の表示手段と、
前記表示手段に前記アライメントマークを表示させる表示制御手段と、
前記眼鏡レンズに前記カップを取り付けるカップ取付手段と、
を備え、
操作者が前記表示手段越しに前記眼鏡レンズを観察し、前記眼鏡レンズと前記アライメントマークとを位置合わせすることで、前記眼鏡レンズに前記カップを取り付けることを特徴とするカップ取付装置。
【請求項２】
請求項１のカップ取付装置において、
前記アライメントマークの表示位置を移動させるための移動信号を取得する取得手段を備え、
前記表示制御手段は、前記移動信号に基づいて、前記表示手段に表示する前記アライメントマークの表示位置を移動させることを特徴とするカップ取付装置。
【請求項３】
請求項１または２のカップ取付装置において、
前記表示手段は、前記眼鏡レンズの玉型を表す玉型マークを表示可能であって、
前記表示制御手段は、前記表示手段に前記玉型マークを表示させ、
前記表示手段越しに前記眼鏡レンズを観察し、前記眼鏡レンズと前記玉型マークの位置から、前記眼鏡レンズの玉切れを確認することを特徴とするカップ取付装置。
【請求項４】
請求項１〜３のいずれかのカップ取付装置において、
前記眼鏡レンズを位置合わせする第１モードと、前記眼鏡レンズの玉切れを確認する第２モードと、の少なくともいずれかを設定する設定手段を備え、
前記表示制御手段は、前記設定手段が設定したモードに応じて、前記表示手段の表示を、前記アライメントマークと、前記玉型マークと、の少なくともいずれかに切り換えることを特徴とするカップ取付装置。
【請求項５】
請求項１〜４のいずれかのカップ取付装置において、
前記表示手段は、透過型のディスプレイであって、
前記表示制御手段は、前記ディスプレイを制御することによって、前記ディスプレイに前記アライメントマークを表示させることを特徴とするカップ取付装置。
【請求項６】
請求項１〜４のいずれかのカップ取付装置において、
前記アライメントマークを出力可能な光源を備え、
前記表示手段は、透過型のスクリーンであって、
前記表示制御手段は、前記光源を制御することによって、前記スクリーンに前記アライメントマークを表示させることを特徴とするカップ取付装置。
【発明の詳細な説明】
【技術分野】
【０００１】
本開示は、眼鏡レンズにカップを取り付けるカップ取付装置に関する。
【背景技術】
【０００２】
眼鏡レンズの周縁を加工する際に用いる加工治具であるカップを、未加工の眼鏡レンズに対して取り付けるカップ取付装置が知られている。
【先行技術文献】
【特許文献】
【０００３】
【特許文献１】特開２００８−２４６６３４号公報
【発明の概要】
【発明が解決しようとする課題】
【０００４】
従来のカップ取付装置では、眼鏡レンズを位置合わせする基準となるアライメントマークをスクリーン板に予め描いておく必要があったため、表示可能なアライメントマークには限度があった。また、眼鏡レンズの種類毎にアライメントマークは使い分けられるが、すべてのアライメントマークが描かれているため、必要なアライメントマークを認識しづらいことがあった。
【０００５】
本開示は、上記従来技術に鑑み、アライメントマークを容易に認識し、眼鏡レンズの正確な位置にカップを取り付けることができるカップ取付装置を提供することを技術課題とする。
【課題を解決するための手段】
【０００６】
上記課題を解決するために、本開示は、以下のような構成を備えることを特徴とする。
【０００７】
（１）本開示の第１態様に係るカップ取付装置は、眼鏡レンズに加工治具であるカップを取り付けるカップ取付装置において、光を透過するとともに、前記眼鏡レンズに前記カップを取り付けるために前記眼鏡レンズを位置合わせする基準となるアライメントマークを表示可能な透過型の表示手段と、前記表示手段に前記アライメントマークを表示させる表示制御手段と、前記眼鏡レンズに前記カップを取り付けるカップ取付手段と、を備え、操作者が前記表示手段越しに前記眼鏡レンズを観察し、前記眼鏡レンズと前記アライメントマークとを位置合わせすることで、前記眼鏡レンズに前記カップを取り付けることを特徴とする。
【図面の簡単な説明】
【０００８】
【図１】アライメント機構を使用位置に配置した状態におけるカップ取付装置の外観図である。
【図２】カップ取付機構を使用位置に配置した状態におけるカップ取付装置の外観図である。
【図３】印点像のずれを説明する図である。
【図４】単焦点レンズの光学中心位置に対するアライメントを説明する図である。
【図５】玉型の幾何学中心位置に対するアライメントを説明する図である。
【図６】単焦点レンズとは異なるレンズに対する軸打ち画面の一例である。
【図７】玉型マークが表示された軸打ち画面の一例である。
【発明を実施するための形態】
【０００９】
＜概要＞
本開示の実施形態に係るカップ取付装置の概要について説明する。なお、以下の＜＞にて分類された項目は、独立または関連して利用されうる。
【００１０】
本実施形態におけるカップ取付装置（例えば、カップ取付装置１）は、眼鏡レンズに加工冶具であるカップを取り付ける。
【００１１】
＜表示手段＞
例えば、本実施形態におけるカップ取付装置は、表示手段（例えば、ディスプレイ１３）を備えてもよい。表示手段は、光を透過する透過型の表示手段である。また、表示手段は、眼鏡レンズにカップを取り付けるために眼鏡レンズを位置合わせする基準となるアライメントマークを表示可能な表示手段である。例えば、カップ取付装置が、光を透過するとともに、眼鏡レンズにカップを取り付けるために眼鏡レンズを位置合わせする基準となるアライメントマークを表示可能な透過型の表示手段であることによって、操作者は、表示手段越しの眼鏡レンズと、表示手段に表示されたアライメントマークと、を容易に観察して位置合わせし、眼鏡レンズの正確な位置にカップを取り付けることができる。
【００１２】
表示手段は、自然光を透過してもよいし、カップ取付装置が光源を備える場合には、光源から照射された測定光束を透過してもよい。表示手段が透過型であることによって、表示手段の裏側に配置された部材（例えば、眼鏡レンズ）を、表示手段の表側から観察することができる。すなわち、操作者は、表示手段越しに、表示手段の裏側に配置された部材を観察することができる。
【００１３】
表示手段が表示するアライメントマークは、眼鏡レンズのレンズマーク（例えば、眼鏡レンズに付された印点、眼鏡レンズの小玉、眼鏡レンズに印刷されたプリントマーク、等）を位置合わせするためのマークであってもよい。例えば、表示手段が透過型であり、表示手段にアライメントマークが表示されることによって、操作者は、表示手段越しに眼鏡レンズを観察し、眼鏡レンズとアライメントマークとを位置合わせすることができる。また、操作者は、表示手段越しに眼鏡レンズのレンズマークを観察し、レンズマークとアライメントマークとを位置合わせすることができる。
【００１４】
表示手段は、眼鏡レンズの玉型を表す玉型マークを表示可能な表示手段であってもよい。例えば、表示手段が透過型であり、表示手段に玉型マークが表示されることによって、表示手段越しに眼鏡レンズを観察し、眼鏡レンズと玉型マークとの位置を確認することができる。
【００１５】
表示手段が表示する玉型マークは、眼鏡レンズの左右の玉型を表す玉型マークであってもよい。玉型マークとしては、玉型マークの左右を識別させるための識別マーク（例えば、Ｌ表示、Ｒ表示、等）が表示されてもよい。なお、この場合には、識別マークに限定されず、玉型マークの左右を識別させることが可能であればよい。一例として、玉型マークを左右で異なる表示色としてもよい。また、玉型マークとしては、眼鏡レンズに取り付けられるカップの径を表すカップマークが表示されてもよい。これによって、玉型にカップがおさまるか否かを判断できるようにしてもよい。
【００１６】
例えば、本実施形態において、このような表示手段としては、透過型のディスプレイが用いられてもよい。透過型のディスプレイにアライメントマークを表示することによって、眼鏡レンズをディスプレイ越しに直接確認し、眼鏡レンズとアライメントマークとの位置関係を把握しやすくなる。また、透過型のディスプレイに玉型マークを表示することによって、眼鏡レンズの玉切れをカップの取り付けよりも早い段階で確認することができる。
【００１７】
また、例えば、本実施形態において、このような表示手段としては、透過型のスクリーンが用いられてもよい。透過型のスクリーンに眼鏡レンズの像（あるいは、眼鏡レンズのレンズマークの像）とアライメントマークを投影することで表示し、眼鏡レンズとアライメントマークとを位置合わせするようにしてもよい。もちろん、透過型のスクリーンに眼鏡レンズの像（あるいは、眼鏡レンズのレンズマークの像）と玉型マークを投影することで表示し、眼鏡レンズの玉切れを確認するようにしてもよい。
【００１８】
＜表示制御手段＞
例えば、本実施形態におけるカップ取付装置は、表示制御手段（例えば、制御部６０）を備えてもよい。表示制御手段は、表示手段にアライメントマークを表示させる。表示制御手段は、表示手段に表示するアライメントマークの種類を変更してもよい。アライメントマークの種類は、眼鏡レンズの種類に基づいて自動的に設定されてもよい。また、アライメントマークの種類は、操作者により指定されてもよい。この場合、表示制御手段は、操作部から入力される操作信号に基づいて、アライメントマークを変更してもよい。
【００１９】
また、表示制御手段は、表示手段における所定の位置にアライメントマークを表示してもよい。所定の位置は、予め設定された位置でもよい。一例として、表示制御手段は、表示手段の中央にアライメントマークを表示してもよい。また、所定の位置は、眼鏡レンズの加工条件、眼鏡レンズのレイアウト、等のデータに基づいて設定される位置であってもよい。もちろん、所定の位置は、操作者により指定される任意の位置であってもよい。
【００２０】
例えば、カップ取付装置は、取得手段（例えば、制御部６０）を備えていてもよい。取得手段は、アライメントマークの表示位置を移動させるための移動信号を取得する。取得手段は、操作部から入力された操作信号を受信することで、移動信号を取得してもよい。また、取得手段は、眼鏡レンズの加工条件、眼鏡レンズのレイアウト、等のデータに基づく移動信号を取得してもよい。このような場合、表示制御手段は、移動信号に基づいて、表示手段に表示するアライメントマークの表示位置を移動させてもよい。これによって、眼鏡レンズ（眼鏡レンズのレンズマーク）とアライメントマークをより精度よく位置合わせ、眼鏡レンズの正確な位置にカップを取り付けることができる。
【００２１】
なお、本実施例において、表示制御手段は、表示手段に玉型マークを表示させてもよい。例えば、表示制御手段は、眼鏡レンズ（眼鏡レンズのレンズマーク）とアライメントマークとの位置合わせが完了した状態で、玉型マークを表示してもよい。この場合、眼鏡レンズとアライメントマークとの位置合わせを行っているときには玉型マークが表示されず、眼鏡レンズとアライメントマークとの位置合わせが完了したときに玉型マークが表示されてもよい。また、この場合、眼鏡レンズとアライメントマークとの位置合わせを行っているときから玉型マークが表示されてもよい。玉型マークは、眼鏡レンズの移動にともなって追従して表示されてもよいし、位置合わせが完了したときの位置に予め固定表示されてもよい。これによって、表示手段越しの眼鏡レンズと、表示手段に表示された玉型マークと、を観察し、眼鏡レンズの玉切れを容易に確認することができる。すなわち、眼鏡レンズの玉型が眼鏡レンズの径内におさまるか否かを容易に確認することができる。
【００２２】
例えば、カップ取付装置は、設定手段（例えば、制御部６０）を備えていてもよい。設定手段は、眼鏡レンズを位置合わせする第１モードと、眼鏡レンズの玉切れを確認する第２モードと、の少なくともいずれかを設定する。例えば、設定手段は、操作部から入力された操作信号を受信することで、第１モードと第２モードのそれぞれを設定してもよい。また、例えば、設定手段は、第１モードが設定され、第１モードによる眼鏡レンズの位置合わせが完了した後に、第２モードを自動的に設定してもよい。このような場合、表示制御手段は、設定手段が設定したモードに応じて、表示手段の表示を、アライメントマークと玉型マークの少なくともいずれかに切り換えてもよい。これによって、表示手段には、設定されたモードに応じた必要なマークのみが表示され、表示手段越しに眼鏡レンズを観察しやすくなる。
【００２３】
例えば、本実施形態におけるカップ取付装置が、表示手段として透過型のディスプレイを備える場合、表示制御手段は、ディスプレイを制御することによって、ディスプレイにアライメントマークを表示させてもよい。もちろん、表示制御手段は、ディスプレイを制御することによって、ディスプレイに玉型マークを表示させてもよい。
【００２４】
また、例えば、本実施形態におけるカップ取付装置が、表示手段として透過型のスクリーンを備える場合、カップ取付装置は、アライメントマークを出力可能な光源を備えていてもよい。例えば、このような光源はプロジェクタであってもよく、アライメントマークを出力するとともに、眼鏡レンズを照明してもよい。プロジェクタのフォーカスは、スクリーンに合わされていてもよい。表示制御手段は、光源を制御することによって、スクリーンにアライメントマークを表示させてもよい。もちろん、表示制御手段は、光源を制御することによって、ディスプレイに玉型マークを表示させてもよい。
【００２５】
＜調整手段＞
例えば、本実施形態におけるカップ取付装置が、表示手段として透過型のディスプレイを備える場合には、調整手段（例えば、擦りガラス１４）を備えてもよい。調整手段は、透過型のディスプレイと眼鏡レンズのレンズマークとの光軸方向における距離を実質的に短くする。この場合、調整手段は、透過型のディスプレイと眼鏡レンズの光軸方向における距離を短くすることで、透過型のディスプレイと眼鏡レンズのレンズマークとの光軸方向における距離を短くしてもよい。また、この場合、調整手段は、透過型のディスプレイと眼鏡レンズ（レンズマーク）の像との光軸方向における距離を短くしてもよい。例えば、カップ取付装置が調整手段を備えることによって、調整手段により光軸方向の距離が短くされた状態で、透過型のディスプレイ越しにレンズマークを観察し、レンズマークとアライメントマークとを位置合わせすることができる。操作者の視線方向が変化すると、透過型のディスプレイに表示されるアライメントマークと、眼鏡レンズのレンズマークと、が一致する位置がずれることがあるが、透過型のディスプレイとレンズマークとの光軸方向の距離を短くすることによって、このずれを低減させることができる。
【００２６】
例えば、カップ取付装置は、眼鏡レンズに測定光束を照射する光源を備え、調整手段として、透過型のディスプレイと眼鏡レンズとの間に配置される投影部材を有してもよい。投影部材は、光軸方向において表示手段により近い位置に配置されることが好ましい。投影部材は、光源からの測定光束により照明された眼鏡レンズ（レンズマーク）の像を投影可能な部材であればよい。一例として、擦りガラス、スクリーン、等が用いられてもよい。カップ取付装置が投影部材を有する場合、透過型のディスプレイと眼鏡レンズの光軸方向における距離が長くても、透過型のディスプレイと、投影部材に投影された眼鏡レンズ（レンズマーク）の像と、の距離は短くなる。すなわち、投影部材にレンズマークを投影することで、透過型のディスプレイとレンズマークとの光軸方向における距離が実質的に短くなる。これによって、透過型のディスプレイ越しに、透過型のディスプレイに近い位置に投影された眼鏡レンズ（レンズマーク）の像を観察でき、操作者の視線方向の変化によるアライメントマークとレンズマークとが一致する位置のずれが軽減され、眼鏡レンズの正確な位置にカップを取り付けることができる。
【００２７】
例えば、カップ取付装置は、レンズに測定光束を照射する光源を備え、調整手段として、透過型のディスプレイを用いてもよい。つまり、透過型のディスプレイが調整手段を兼ねてもよい。この場合、透過型のディスプレイは、アライメントマークを表示するとともに、アライメントマークとは異なる領域を半透明に表示してもよい。すなわち、アライメントマークとは異なる領域を、擦りガラス状（言い換えると、曇りガラス状、スクリーン状）に表示してもよい。アライメントマークとは異なる領域は、そのすべてが半透明に表示されてもよいし、その少なくとも一部が半透明に表示されてもよい。これによって、光源からの測定光束により照明された眼鏡レンズ（レンズマーク）の像が、透過型のディスプレイのアライメントマークとは異なる領域に投影される。すなわち、透過型のディスプレイが、眼鏡レンズ（レンズマーク）の像を投影するための投影部材として機能してもよい。例えば、透過型のディスプレイのアライメントマークとは異なる領域を半透明に表示し、アライメントマークとは異なる領域にレンズマークを投影することで、透過型のディスプレイとレンズマークとの光軸方向における距離が実質的に短くなる。より詳細には、透過型のディスプレイのアライメントマークとは異なる領域を半透明に表示し、アライメントマークとは異なる領域にレンズマークを投影することで、透過型のディスプレイとレンズマークとの光軸方向における距離がゼロになる。このため、操作者の視線方向が変化しても、アライメントマークとレンズマークとが一致する位置のずれは生じず、眼鏡レンズの正確な位置にカップを取り付けることができる。
【００２８】
なお、上記では、カップ取付装置が、透過型のディスプレイとともに投影部材を用いる構成を例示したがこれに限定されない。あるいは、カップ取付装置が、透過型のディスプレイと投影部材を兼ねる構成を例示したがこれに限定されない。カップ取付装置は、このような投影部材を用いない構成であってもよい。つまり、透過型のディスプレイ越しに、眼鏡レンズのレンズマークを直接確認する構成でもよい。
【００２９】
この場合、例えば、カップ取付装置が備える調整手段は、透過型のディスプレイとレンズとの少なくともいずれかを移動させてもよい。調整手段は、透過型のディスプレイを光軸方向に移動させるための移動機構（例えば、スライド機構、等）であってもよいし、眼鏡レンズを光軸方向に移動させるための移動機構であってもよい。もちろん、調整手段は、透過型のディスプレイ及び眼鏡レンズを光軸方向に移動させるための移動機構であってもよい。このような場合には、調整手段を用いることで、透過型のディスプレイと眼鏡レンズの光軸方向における距離を短くすることができる。すなわち、調整手段を用いることで、透過型のディスプレイとレンズマークとの光軸方向における距離を短くすることができる。透過型のディスプレイ越しに、透過型のディスプレイに近い位置に配置された眼鏡レンズを観察できるので、操作者の視線方向の変化によるアライメントマークとレンズマークとが一致する位置のずれが軽減され、眼鏡レンズの正確な位置にカップを取り付けることができる。
【００３０】
＜カップ取付手段＞
例えば、本実施形態におけるカップ取付装置は、カップ取付手段（例えば、カップ取付機構３０）を備えてもよい。カップ取付手段は、レンズにカップを取り付ける。カップ取付手段は、レンズの前面と後面の少なくともいずれかにカップを取り付けてもよい。本実施形態では、カップ取付手段が、レンズ支持手段（例えば、支持ピン３）に支持されたレンズの前面にカップを取り付ける。
【００３１】
なお、カップ取付手段は、眼鏡レンズを搬送するための搬送手段（例えば、眼鏡レンズを吸着して搬送するための搬送ユニット、等）を備えていてもよい。例えば、この場合には、レンズ支持手段により支持されたレンズが搬送手段によってカップ取付手段まで搬送され、カップ取付手段が搬送されたレンズに対してカップを取り付ける構成としてもよい。
【００３２】
＜実施例＞
本実施形態に係るカップ取付装置の一実施例を図面に基づいて説明する。本実施例では、カップ取付装置の左右方向をＸ方向、上下方向をＹ方向、前後方向をＺ方向として説明する。
【００３３】
図１は、カップ取付装置１の外観図である。図１（ａ）は、カップ取付装置１の正面、平面、及び右側面を表す斜視図である。図１（ｂ）は、図１（ａ）のＡ−Ａ´断面を表す断面図である。なお、図１は、後述するアライメント機構１０を使用可能な使用位置に配置した状態である。例えば、カップ取付装置１は、筐体２、支持ピン３、光量調整ノブ４、アライメント機構１０、切換機構２０、カップ取付機構３０（図２参照）、制御部６０、等を備える。
【００３４】
筐体２はすり鉢状である。筐体２の内部には、アライメント機構１０の一部（本実施例では、光源１１）が備えられる。筐体２の内壁には、反射を低減させるための塗料が塗布されている。光源１１から照明された測定光束が内壁で反射すると、集光レンズ１２により平行とされた測定光束のノイズとなるためである。
【００３５】
支持ピン３は、眼鏡レンズ（以下、レンズ）ＬＥを載置してレンズＬＥを支持する。支持ピン３は、集光レンズ１２の上面に３本配置される。支持ピン３は、カップ取り付けの基準軸となるアライメント機構１０の光軸Ｌ１に対して、等距離かつ等角度で配置される。
【００３６】
なお、本実施例において、支持ピン３はレンズＬＥを支持できればよく、何本で構成されてもよいし、必ずしも光軸Ｌ１に対して等距離かつ等角度で配置されなくてもよい。また、本実施例において、支持ピン３はレンズＬＥを支持できればよく、移動可能に配置されてもよい。この場合には、光軸Ｌ１から各支持ピン３までの距離、及び、光軸Ｌ１と各支持ピン３を結ぶ直線のなす角度（言い換えると、支持ピン３同士の間隔）、等を調整し、支持ピン３がレンズＬＥを支持する領域の大きさを変更するための構成を有してもよい。
【００３７】
光量調整ノブ４は、光源１１の発光光量を調整する。光量調整ノブ４は、筐体２の内部に設けられた回転型の可変抵抗器５に取り付けられている。光量調整ノブ４を回転させると、可変抵抗器５の抵抗値が変化し、この抵抗値が制御部６０へと出力される。制御部６０は、光源１１に入力する電流値を可変抵抗器５の抵抗値に応じて変更し、光源１１の発光光量を調整する。
【００３８】
＜アライメント機構＞
アライメント機構１０は、支持ピン３に支持されたレンズＬＥを位置合わせする。アライメント機構１０は、光源１１、集光レンズ１２、透過型ディスプレイ１３、擦りガラス１４、等を備える。ディスプレイ１３と擦りガラス１４は、第１アーム８ａに保持される。
【００３９】
光源１１は、レンズＬＥに測定光束を照射する。光源１１は、ＬＥＤ（Light Emitting Diode）であってもよい。光源１１は、光軸Ｌ１上に配置される。光源１１の周囲には、伝熱性の高い素材で作製された放熱を促すための基板１１ａが取り付けられている。集光レンズ１２は、光源１１から照射された測定光束を光軸Ｌ１と平行に整形する。
【００４０】
透過型ディスプレイ（以下、ディスプレイ）１３は、光源１１からの測定光束を透過させる透過率の高いディスプレイである。ディスプレイ１３は、透過型の液晶ディスプレイであってもよいし、透過型の有機ＥＬディスプレイであってもよい。ディスプレイ１３は、その中央が光軸Ｌ１に一致するように配置される。ディスプレイ１３には、レンズＬＥを位置合わせするためのアライメントマーク、レンズＬＥの玉型を表す玉型マーク、等が表示される。ディスプレイ１３と制御部６０を繋ぐケーブルは、操作の邪魔にならないように、第１アーム８ａ及び円筒部材３１の内部に通される。
【００４１】
擦りガラス１４は、ディスプレイ１３の下部に、ディスプレイ１３と近い距離で配置される（ディスプレイ１３と擦りガラス１４の配置についての詳細は後述する）。擦りガラス１４には、光源１１に照明されたレンズＬＥの像が投影される。例えば、レンズＬＥの像は、レンズＬＥの外形の像、レンズＬＥに予め付した印点Ｓ１の像である印点像Ｓ２、レンズＬＥが有する小玉の像、レンズＬＥに印刷されたプリントマークの像、等である。なお、本実施例では擦りガラス１４を例に挙げるが、レンズＬＥの像が投影可能な部材であればよく、例えば、擦りガラス１４の代わりにスクリーンを用いてもよい。
【００４２】
光源１１から測定光束が照射されると、測定光束は集光レンズ１２に屈折されて平行光束となり、支持ピン３に支持されたレンズＬＥを透過して、擦りガラス１４に到達する。レンズＬＥに印点Ｓ１を付していた場合、擦りガラス１４には印点像Ｓ２が光軸Ｌ１に対して平行（略平行）に投影される。さらに、測定光束は、擦りガラス１４とディスプレイ１３を透過し、操作者の眼Ｅに到達する。これにより、操作者は、ディスプレイ１３越しに、レンズＬＥの位置（レンズＬＥの印点像Ｓ２の位置）を確認することができる。
【００４３】
＜カップ取付機構＞
図２は、カップ取付装置１の外観図である。図２（ａ）は、カップ取付装置１の正面、平面、及び右側面を表す斜視図である。図２（ｂ）は、図２（ａ）のＡ−Ａ´断面を表す断面図である。なお、図２は、カップ取付機構３０を使用可能な使用位置に配置した状態である。カップ取付機構３０は、支持ピン３に支持されたレンズＬＥにカップＣｕを取り付ける。カップ取付機構３０は、円筒部材３１、シャフト３２、バネ３３、回転ノブ３４、カップ装着部３５、等を備える。
【００４４】
円筒部材３１は、筐体２の後方に配置される。円筒部材３１の内部には、シャフト３２が上下方向へ移動可能に保持される。シャフト３２の上部には、一体的に形成された第１アーム８ａ及び第２アーム８ｂが固定される。第２アーム８ｂは、カップ装着部３５を保持する。カップ装着部３５には、カップＣｕが、その中央が光軸Ｌ１と一致するように装着される。シャフト３２の上端には、回転ノブ３４が固定される。シャフト３２の下端には、バネ３３が取り付けられる。バネ３３は、シャフト３２、及び、シャフト３２に固定されたアーム（第１アーム８ａと第２アーム８ｂ）や回転ノブ３４、等の荷重に抗してシャフト３２をもち上げ、シャフト３２を上方向に常時付勢する。
【００４５】
図２に示す状態で回転ノブ３４を押し下げると、回転ノブ３４とともにシャフト３２が押し下げられ、シャフト３２に固定された第２アーム８ｂが下降する。これによって、レンズＬＥにカップＣｕが接触し、レンズＬＥにカップＣｕが取り付けられる。回転ノブ３４から手を離すと、バネ３３の付勢力によりシャフト３２が押し上げられ、第２アーム８ｂが元の位置まで上昇する。
【００４６】
なお、本実施例において、カップ取付機構３０には検出器３６が設けられてもよい。検出器３６は、シャフト３２の上下移動を検出する。例えば、検出器３６は、シャフト３２が押し下げられたことを検出して、制御部６０へ出力信号を出力してもよい。制御部６０は、検出器３６からの出力信号に応じて、ディスプレイ１３に表示する表示内容（例えば、左のレンズＬＥに対する玉型マーク、右のレンズＬＥに対する玉型マーク、等）を制御してもよい。例えば、このような検出器３６は、マイクロスイッチであってもよい。
【００４７】
＜切換機構＞
切換機構２０は、支持ピン３に支持されたレンズＬＥの上部に、ディスプレイ１３及び擦りガラス１４を配置するか、または、カップ装着部３５を配置するか、を切り換える。すなわち、ディスプレイ１３及び擦りガラス１４を使用可能な使用位置に配置するか、または、カップ装着部３５を使用可能な使用位置に配置するか、を切り換える。例えば、切換機構２０は、円筒部材３１、第１アーム８ａ、第２アーム８ｂ、シャフト３２、回転ノブ３４、等を備える。
【００４８】
円筒部材３１の内部において、シャフト３２は水平方向へ回転可能に保持される。回転ノブ３４を回転させると、回転ノブ３４とともにシャフト３２も回転し、第１アーム８ａまたは第２アーム８ｂのいずれかが、筐体２の上部に配置される。例えば、図１に示す状態から回転ノブ３４を時計回りに回転させると、図２に示す状態となり、第２アーム８ｂが筐体２の上部に配置される。これによって、カップ取付機構３０が使用可能となる。また、例えば、図２に示す状態から回転ノブ３４を反時計回りに回転させると、図１に示す状態となり、第１アーム８ａが筐体２の上部に配置される。これによって、アライメント機構１０が使用可能となる。
【００４９】
なお、本実施例において、切換機構２０には検出器２５が設けられてもよい。検出器２５は、シャフト３２の回転を検知する。検出器２５は、光センサ（例えば、フォトインタラプタ）を用いて構成されるが、位置検出センサ、回転角センサ、等を用いることもできる。
【００５０】
例えば、検出器２５は、発光素子と受光素子とが対向するフォトセンサ２６と、遮光板２７と、を有する。フォトセンサ２６は、円筒部材３１の下部に設けられる。遮光板２７は、シャフト３２の下部に設けられたガイド３２ａに取り付けられる。ガイド３２ａは、シャフト３２の回転に連動して回転するが、シャフト３２が上下方向に移動しても、その高さ位置が維持されるようになっている。
【００５１】
例えば、回転ノブ３４を回転させることで、シャフト３２及びガイド３２ａが回転し、フォトセンサ２６に遮光板２７が挿し込まれると、発光素子からの光が遮断される。本実施例では、カップ取付機構３０が使用位置にあるとき、フォトセンサ２６に遮光板２７が挿し込まれた状態となる。この状態では、フォトセンサ２６からの出力信号が、光源１１を消灯させるためのスイッチ信号として、制御部６０に入力される。また、例えば、回転ノブ３４を回転させることで、シャフト３２及びガイド３２ａが回転し、フォトセンサ２６から遮光板２７が引き抜かれると、発光素子からの光は受光素子に到達する。本実施例では、アライメント機構１０が使用位置にあるとき、フォトセンサ２６から遮光板２７が引き抜かれた状態となる。この状態では、フォトセンサ２６からの出力信号が、光源１１を点灯させるためのスイッチ信号として、制御部６０に入力される。制御部６０は、このようなスイッチ信号に応じて、光源１１の点灯と消灯を制御する。
【００５２】
＜ディスプレイと擦りガラスの配置＞
ここで、ディスプレイ１３と擦りガラス１４の配置について詳細に説明する。本実施例では、擦りガラス１４がディスプレイ１３と近い距離で配置されているため、操作者がディスプレイ１３をみる場所により生じるアライメントマークに対する印点像Ｓ２のずれを低減させることができる。言い換えると、操作者の眼Ｅの視線方向（視軸）の変化により生じるアライメントマークに対する印点像Ｓ２ｂのずれを低減させることができる。
【００５３】
図３は、印点像Ｓ２のずれを説明する図である。図３（ａ）は、擦りガラス１４とディスプレイ１３が近い距離に配置され、操作者の眼Ｅの視線方向がディスプレイ１３の真上にある状態である。図３（ｂ）は、擦りガラス１４とディスプレイ１３が近い距離に配置され、操作者の眼Ｅの視線方向がディスプレイ１３に対して斜めにある状態である。図３（ｃ）は、擦りガラス１４とディスプレイ１３が遠い距離に配置され、操作者の眼Ｅの視線方向がディスプレイ１３に対して斜めにある状態である。
【００５４】
なお、図３では、ディスプレイ１４における位置Ｐにアライメントマークが表示されている。例えば、位置Ｐは光軸Ｌ１と一致する位置である。レンズＬＥには印点Ｓ１が付され、擦りガラス１４には印点Ｓ１に対応する印点像Ｓ２が投影されている。
【００５５】
操作者の眼Ｅは、ディスプレイ１３に表示されたアライメントマークと、擦りガラス１４に投影された印点像Ｓ２と、が視軸Ｎ１上に位置したときに、アライメントマークと印点像Ｓ２が一致したと認識する。操作者は、アライメントマークと印点像Ｓ２が一致するようにレンズＬＥを移動させることで、光軸Ｌ１とレンズＬＥに付された印点Ｓ１とが一致する適切な位置にレンズＬＥを配置することができる。
【００５６】
例えば、図３（ａ）のように、眼Ｅの視線方向がディスプレイ１３の真上にあると、眼Ｅには、アライメントマークが表示された位置Ｐと、位置ＰとＸ方向及びＺ方向が同一（略同一）な位置Ｑと、が重なってみえる。操作者が印点像Ｓ２を位置Ｑに位置させるようにレンズＬＥを移動させると、眼Ｅの視軸Ｎ１上にアライメントマークと印点像Ｓ２が位置するので、眼Ｅはアライメントマークと印点像Ｓ２が一致したと認識する。例えば、このように、眼Ｅの視線方向がディスプレイ１３の真上にあれば、ディスプレイ１３越しに印点像Ｓ２を観察しながらレンズＬＥを移動させることで、光軸Ｌ１と印点Ｓ１とが一致する適切な位置にレンズＬＥを配置することができる。
【００５７】
例えば、図３（ｂ）のように、眼Ｅの視線方向がディスプレイ１３に対して斜めにあると、眼Ｅには、アライメントマークが表示された位置Ｐと、位置ＱからＸ方向及びＺ方向に所定の距離だけずれた位置Ｑ’と、が重なってみえる。本実施例では、位置Ｐと、位置ＱからＺ方向にずれ量ｄ１だけ離れた位置Ｑ’と、が重なってみえる。操作者は、印点像Ｓ２が位置Ｑ’に位置するようにレンズＬＥを移動させるので、上述の適切な位置（図３（ｂ）にて点線で示す位置）からずれた位置（図３（ｂ）にて実線で示す位置）にレンズＬＥが配置される。
【００５８】
なお、ずれ量ｄ１は、眼Ｅの視軸Ｎ１と、光軸Ｌ１に対する垂直な面と、のなす角度が小さい（すなわち、眼Ｅの視線方向が真横に近い）ほど大きくなり、眼Ｅの視軸Ｎ１と、光軸Ｌ１に対する垂直な面と、のなす角度が大きい（すなわち、眼Ｅの視線方向が真上に近い）ほど小さくなる。このため、特に、眼Ｅの視線方向が真横に近い場合は、適切な位置からよりずれた位置にレンズＬＥが配置される。
【００５９】
例えば、図３（ｃ）のように、眼Ｅの視線がディスプレイ１３に対して斜めにあり、かつ、擦りガラス１４とディスプレイ１３が遠い距離に配置されていると、アライメントマークが表示された位置Ｐと、位置ＱからＸ方向及びＺ方向に所定の距離だけずれた位置Ｑ’と、が重なってみえる。本実施例では、位置Ｐと、位置ＱからＺ方向にずれ量ｄ２だけ離れた位置Ｑ’と、が重なってみえる。例えば、眼Ｅが同じ視線方向からディスプレイ１３越しに印点像Ｓ２を観察しても、擦りガラス１４とディスプレイ１３が近い距離に配置されているときのずれ量ｄ１と、擦りガラス１４とディスプレイ１３が遠い距離に配置されているときのずれ量ｄ２と、ではずれ量ｄ２のほうが大きくなる。操作者は、印点像Ｓ２が位置Ｑ’に位置するようにレンズＬＥを移動させるので、上述の適切な位置（図３（ｃ）にて点線で示す位置）からずれた位置（図３（ｃ）にて実線で示す位置）にレンズＬＥが配置される。
【００６０】
例えば、このように、眼Ｅの視線方向の変化によって、眼Ｅがアライメントマークと印点像Ｓ２が一致したと認識できる位置（すなわち、位置Ｑ及び位置Ｑ’の位置）にはずれが生じる。ずれが生じていると、上述の適切な位置にレンズＬＥが配置されないため、レンズＬＥ上の正確な位置にカップＣｕを取り付けることができない。しかし、擦りガラス１４とディスプレイ１３を近い距離に配置しておくことで、眼Ｅの視線方向が変化しても、アライメントマークに対する印点像Ｓ２のずれを小さく抑え、レンズＬＥ上の正確な位置にカップＣｕを取り付けることができる。
【００６１】
なお、本実施例において、集光レンズ１２に屈折されて平行光束となった測定光束は、レンズＬＥがもつ屈折力によってさらに屈折され、光軸Ｌ１と平行でない状態となって擦りガラス１４に到達することがある。この状態では、レンズＬＥに付された印点Ｓ１が真上に投影されず、印点Ｓ１と印点像Ｓ２とのＸ方向及びＺ方向がずれてしまう。操作者がアライメントマークと印点像Ｓ２が一致するようにレンズＬＥを移動させても、適切な位置からずれた位置にレンズＬＥが配置されるので、レンズＬＥ上の正確な位置にカップＣｕを取り付けることができない。本実施例では、このようなレンズＬＥの屈折力の影響を抑えるため、擦りガラス１４が、予めレンズＬＥと近い距離となる位置に配置されてもよい。ディスプレイ１３及び擦りガラス１４と、レンズＬＥと、の少なくともいずれかを移動可能な構成として、擦りガラス１４とレンズＬＥとの距離を調整してもよい。
【００６２】
＜制御系＞
制御部６０は、一般的なＣＰＵ（プロセッサ）、ＲＡＭ、ＲＯＭ、等で実現される。ＣＰＵは、カップ取付装置１における各部の駆動を制御してもよい。ＲＡＭは、各種の情報を一時的に記憶してもよい。ＲＯＭには、ＣＰＵが実行する各種プログラムが記憶されてもよい。例えば、制御部６０には、ディスプレイ１３、可変抵抗器５、光源１１、フォトセンサ２６、不揮発性メモリ（以下、メモリ６５）、等が電気的に接続される。
【００６３】
メモリ６５は、電源の供給が遮断されても記憶内容を保持できる非一過性の記憶媒体であってもよい。例えば、メモリ６５としては、ハードディスクドライブ、フラッシュＲＯＭ、ＵＳＢメモリ、ＳＤカード、等を使用することができる。
【００６４】
＜動作＞
上記のような構成を備えるカップ取付装置１の動作を説明する。
【００６５】
本実施例では、レンズＬＥを位置合わせする第１モードと、レンズＬＥの玉切れ（レンズＬＥの径内に玉型がおさまらない状態）を確認する第２モードと、のいずれかが設定される。
【００６６】
＜第１モード＞
以下、第１モードについて説明する。ここでは、レンズＬＥが単焦点レンズであり、レンズＬＥの光学中心位置にカップを取り付ける場合を例示する。
【００６７】
＜玉型の取得＞
まず、レンズＬＥの玉型が取得される。レンズＬＥの玉型は、フレームのリムの内形、フレームに枠入れされていたデモレンズまたは型板の外形、等から取得されてもよい。本実施例では、カップ取付装置１に別の装置を用いて測定した玉型を読み込ませることで、玉型が取得される。
【００６８】
＜加工条件とレイアウトの設定＞
続いて、レンズＬＥの加工条件とレイアウトが設定される。レンズＬＥの加工条件は、レンズＬＥの種類（例えば、単焦点レンズ、二重焦点レンズ、累進レンズ、等）、レンズＬＥの材質、フレームの材質、加工モード（例えば、鏡面加工、面取り加工、溝掘り加工、等の有無）、レンズＬＥに対するカップＣｕの取り付け位置（例えば、レンズＬＥの光学中心位置、玉型の幾何学中心位置、等）、等の少なくともいずれかであってもよい。レンズＬＥのレイアウトは、玉型の幾何学中心位置から光学中心位置までの高さ、玉型の最底辺の位置から光学中心位置までの高さ（ＢＴ）、玉型における光学中心位置直下の底辺の位置から光学中心位置までの高さ（ＰＤ高さ）、左右レンズの光学中心間（距離眼鏡装用者の瞳孔間距離）、左右レンズの幾何学中心間距離（フレーム中心間距離）、等の少なくともいずれかであってもよい。本実施例では、カップ取付装置１に別の装置を用いて作製された加工条件及びレイアウトを読み込ませることで、加工条件及びレイアウトが設定される。
【００６９】
＜レンズのアライメント＞
操作者は、レンズＬＥの光学中心位置ＯＣに予め印点Ｓ１を付し、レンズＬＥを支持ピン３に載置すると、カップ取り付けの基準軸である光軸Ｌ１に印点Ｓ１が一致するようにアライメントを行う。
【００７０】
操作者は、回転ノブ３４を操作して、アライメント機構１０を使用位置に配置する。制御部６０は、検出器２５からのスイッチ信号に応じ、光源１１を点灯して測定光束を照射させる。また、制御部６０は、レンズＬＥを位置合わせしてカップＣｕを取り付けるための軸打ち画面７０をディスプレイ１３に表示する。
【００７１】
図４は、単焦点レンズの光学中心位置に対するアライメントを説明する図である。図４（ａ）は、軸打ち画面７０の一例である。図４（ｂ）は、アライメント時の軸打ち画面７０を示す図である。軸打ち画面７０には、レンズＬＥを位置合わせするための目標位置を表すアライメントマークが表示される。アライメントマークは、レンズＬＥの玉型、加工条件、レイアウト、等に基づいて、その種類や表示位置が設定されてもよい。
【００７２】
本実施例では、レンズＬＥが単焦点レンズであり、レンズＬＥの光学中心位置ＯＣにカップを取り付けるため、軸打ち画面７０の中央（すなわち、光軸Ｌ１と一致する位置）に、印点像Ｓ２を一致させるための十字マークＭ１が表示される。また、本実施例では、ディスプレイ１３が透過型のディスプレイであるので、ディスプレイ１３の下部にある擦りガラス１４に投影された像が、ディスプレイ１３越しに観察される。例えば、擦りガラス１４に投影された、支持ピン３の像である支持ピン像３ｓ、レンズＬＥの外形の像である外形像ＬＥｓ、レンズＬＥの印点像Ｓ２、等が観察される。
【００７３】
操作者は、軸打ち画面７０を確認しながら、印点像Ｓ２と十字マークＭ１とが一致するように、支持ピン３上のレンズＬＥを移動させる。これによって、光軸Ｌ１とレンズＬＥの光学中心位置ＯＣが一致し、レンズＬＥを位置合わせすることができる。
【００７４】
例えば、第１モードを設定した場合には、このような動作によって、レンズＬＥの位置合わせが行われる。
【００７５】
なお、本実施例では、第１モードにおいて、レンズＬＥの光学中心位置ＯＣを位置合わせする場合を例示したがこれに限定されない。例えば、レンズＬＥの玉型に対する幾何学中心位置（ボクシング中心位置）を位置合わせしてもよい。
【００７６】
図５は、玉型の幾何学中心位置に対するアライメントを説明する図である。図５（ａ）は、軸打ち画面７０の一例である。図５（ｂ）は、アライメント時の軸打ち画面７０を示す図である。なお、図５（ｂ）では、支持ピン像３ｓの図示を省略している。制御部６０は、レンズＬＥの玉型Ｔ、加工条件、レイアウト、等を取得すると、玉型Ｔの幾何学中心位置ＢＣと、玉型Ｔに対するレンズＬＥの光学中心位置ＯＣと、を求める。幾何学中心位置ＢＣは、玉型Ｔを囲む四角形において、対向する各辺の中点を結んだ直線の交点として表される。玉型Ｔに対するレンズＬＥの光学中心位置ＯＣは、レイアウトに基づいて取得される。制御部６０は、玉型Ｔに対するレンズＬＥの光学中心位置ＯＣと、玉型Ｔの幾何学中心位置ＢＣと、の位置に基づいて、ディスプレイ１３に表示する十字マークＭ１の表示位置を変更してもよい。例えば、光学中心位置ＯＣに対して幾何学中心位置ＢＣが２ｍｍ下方向かつ１ｍｍ左方向に位置したとき、制御部６０は、ディスプレイ１３の中央から２ｍｍ上方向かつ１ｍｍ右方向に十字マークＭ１を表示してもよい。操作者は、印点像Ｓ２と十字マークＭ１とが一致するように支持ピン３上のレンズＬＥを移動させることで、光軸Ｌ１と玉型Ｔの幾何学中心位置ＢＣを一致させ、レンズＬＥを位置合わせすることができる。
【００７７】
また、本実施例では、第１モードにおいて、レンズＬＥが単焦点レンズである場合を例示したがこれに限定されない。もちろん、二重焦点レンズや累進レンズを位置合わせしてもよい。
【００７８】
図６は、単焦点レンズとは異なるレンズに対する軸打ち画面７０の一例である。図６（ａ）は、二重焦点レンズに対する軸打ち画面７０である。図６（ｂ）は、累進レンズに対する軸打ち画面７０である。
【００７９】
例えば、レンズＬＥが二重焦点レンズである場合、軸打ち画面７０には、アライメントマークとして小玉マークＭ２が表示されてもよい。小玉マークＭ２は、軸打ち画面７０の中央（すなわち、光軸Ｌ１と一致する位置）に対する所定の位置に表示されてもよい。小玉マークＭ２の表示位置は、二重焦点レンズのレイアウト、二重焦点レンズの設計データ、等に応じて変更されてもよい。操作者は、支持ピン３上に二重焦点レンズを載置し、ディスプレイ１３越しに、擦りガラス１４に投影された二重焦点レンズの小玉の像を観察する。また、操作者は、支持ピン３上の二重焦点レンズを、小玉の像と小玉マークＭ２とが一致するように移動させる。このようにして光軸Ｌ１と二重焦点レンズの光学中心位置ＯＣを一致させ、レンズＬＥを位置合わせしてもよい。
【００８０】
また、例えば、レンズＬＥが累進レンズである場合、軸打ち画面７０には、アライメントマークとしてプリントマークＭ３が表示されてもよい。プリントマークＭ３は、軸打ち画面７０の中央（すなわち、光軸Ｌ１と一致する位置）に対する所定の位置に表示されてもよい。プリントマークＭ３の表示位置は、累進レンズのレイアウト、累進レンズの設計データ、等に応じて変更されてもよい。操作者は、支持ピン３上に累進レンズを載置し、ディスプレイ１３越しに、擦りガラス１４に投影された累進レンズのプリントマークの像を観察する。また、操作者は、支持ピン３上の累進レンズを、プリントマークの像とプリントマークＭ３とが一致するように移動させる。このようにして光軸Ｌ１と累進レンズの光学中心位置ＯＣを一致させ、レンズＬＥを位置合わせしてもよい。
【００８１】
＜第２モード＞
以下、第２モードについて説明する。ここでは、レンズＬＥが単焦点レンズであり、レンズＬＥの玉切れを確認する場合を例示する。第２モードは、レンズＬＥにおけるカップＣｕの取り付け位置（例えば、レンズＬＥの光学中心位置ＯＣ、あるいは、レンズＬＥの幾何学中心位置ＢＣ）と光軸Ｌ１とを一致させるアライメントが完了した後に実行されてもよい。
【００８２】
例えば、制御部６０は、レンズＬＥのアライメントが完了すると、レンズＬＥの玉型Ｔを表す玉型マークＭ４をディスプレイ１３に表示する。玉型マークＭ４としては、その左右を識別可能とするための識別マークＭ５が同時に表示されてもよい。もちろん、その左右を識別可能とするために玉型マークＭ４の表示色が変更されてもよい。このとき、アライメントマーク（例えば、十字マークＭ１、等）はディスプレイ１３に表示されたままでもよいし、ディスプレイ１３から表示が消されてもよい。これによって、操作者は、ディスプレイ１３越しに擦りガラス１４に投影されたレンズＬＥの外形像ＬＥｓを観察するとともに、ＬＥの外形像ＬＥｓと玉型マークＭ４との位置を確認することができる。
【００８３】
また、例えば、制御部６０は、レンズＬＥの玉型Ｔを表す玉型マークＭ４とともに、カップＣｕの径を表すカップマークＣＵｓをディスプレイ１３に表示してもよい。これによって、操作者は、レンズＬＥの玉型にカップＣｕがおさまるか否かを判断することができる。
【００８４】
図７は、玉型マークＭ４が表示された軸打ち画面７０の一例である。図７（ａ）は、レンズＬＥが玉切れしていない状態である。図７（ｂ）は、レンズＬＥが玉切れしている状態である。例えば、操作者は、ディスプレイ１３に表示された玉型マークＭ４が、レンズＬＥの径内（本実施例では、レンズＬＥの外形像ＬＥｓの径内）におさまるか否かを確認することで、レンズＬＥが玉切れするか否かを判断することができる。例えば、図７（ａ）のように、ディスプレイ１３に表示された玉型マークＭ４がレンズＬＥの外形像ＬＥｓの径内におさまっている場合は、レンズＬＥが玉切れせず、レンズＬＥの適切な加工が可能であると判断できる。また、例えば、図７（ａ）のように、ディスプレイ１３に表示された玉型マークＭ４がレンズＬＥの外形像ＬＥｓの径内におさまっていない場合は、レンズＬＥが玉切れし、レンズＬＥの適切な加工が不可能であると判断できる。このとき、操作者は、レンズＬＥに印点Ｓ１を再度付す、レンズＬＥのレイアウトを変更する、等して、レンズＬＥに適切な加工がなされるように調整してもよい。
【００８５】
なお、本実施例では、第２モードにおいて、レンズＬＥが単焦点レンズである場合を例示したが、もちろん、二重焦点レンズや累進レンズに対して玉切れを確認してもよい。
【００８６】
＜カップの取り付け＞
例えば、上記のように、レンズＬＥのアライメント、または、レンズＬＥのアライメントの後に行う玉切れの確認が完了すると、操作者はレンズＬＥにカップＣｕを取り付ける。操作者は、カップ取付機構３０のカップ装着部３５にカップＣｕを装着するとともに、回転ノブ３４を操作してカップ取付機構３０を使用位置に配置する。制御部６０は、検出器２５からのスイッチ信号に応じ、光源１１を消灯する。また、操作者は、回転ノブ３４を押し下げ、レンズＬＥの前面にカップＣｕを取り付ける。これによって、レンズＬＥの所定の位置（例えば、光学中心位置ＯＣ、幾何学中心位置ＢＣ、等）にカップＣｕを取り付けることができる。
【００８７】
以上説明したように、例えば、本実施例におけるカップ取付装置は、光を透過するとともに、眼鏡レンズにカップを取り付けるために眼鏡レンズを位置合わせする基準となるアライメントマークを表示可能な透過型の表示手段と、表示手段にアライメントマークを表示させる表示制御手段と、眼鏡レンズにカップを取り付けるカップ取付手段と、を備える。操作者は、表示手段越しの眼鏡レンズと、表示手段に表示されたアライメントマークと、を容易に観察して位置合わせし、眼鏡レンズの正確な位置にカップを取り付けることができる。
【００８８】
また、例えば、本実施例におけるカップ取付装置は、アライメントマークの表示位置を移動させるための移動信号を取得する取得手段を備える。これにより、操作者により入力された移動信号、眼鏡レンズのレイアウトに応じた移動信号、等に基づいて、表示手段に表示するアライメントマークの表示位置が移動される。従来のカップ取付装置では、操作者がアライメントマークを手動で移動させていたため、操作者の操作によって、アライメントマークを移動させる位置がばらつくことがあった。しかし、このような構成であることによって、移動量の誤差の発生が抑えられ、眼鏡レンズとアライメントマークをより精度よく位置合わせし、眼鏡レンズのより正確な位置にカップを取り付けることができる。
【００８９】
また、例えば、本実施例におけるカップ取付装置において、表示手段は眼鏡レンズの玉型を表す玉型マークを表示可能であり、表示制御手段は表示手段を制御して表示手段に玉型マークを表示させる。これによって、操作者は、表示手段越しの眼鏡レンズと、表示手段に表示された玉型マークと、を観察し、眼鏡レンズの玉切れを容易に確認することができる。
【００９０】
また、例えば、本実施例におけるカップ取付装置は、眼鏡レンズを位置合わせする第１モードと、眼鏡レンズの玉切れを確認する第２モードと、の少なくともいずれかを設定する設定手段を備える。表示手段には、設定されたモードに応じて必要なマークのみを表示させることができるので、表示手段越しに眼鏡レンズを観察しやすくなる。
【００９１】
また、例えば、本実施例におけるカップ取付装置は、光を透過するとともに、眼鏡レンズにカップを取り付けるために眼鏡レンズを位置合わせするための基準となるアライメントマークを表示可能な透過型のディスプレイと、ディスプレイと眼鏡レンズのレンズマークとの光軸方向における距離を実質的に短くする調整手段と、眼鏡レンズにカップを取り付けるカップ取付手段と、を備える。操作者の視線方向が変化すると、透過型のディスプレイに表示されるアライメントマークと、眼鏡レンズのレンズマークと、が一致する位置がずれることがあるが、透過型のディスプレイとレンズマークとの光軸方向の距離を短くすることによって、このずれを低減させることができる。
【００９２】
また、例えば、本実施例におけるカップ取付装置は、眼鏡レンズに測定光束を照射する光源を備え、調整手段は、ディスプレイと眼鏡レンズとの間に配置される投影部材であって、投影部材にレンズマークを投影することで、ディスプレイとレンズマークとの光軸方向における距離を短くする。このような構成であると、眼鏡レンズのレンズマークが投影部材に投影される。ディスプレイと投影部材との間の距離を短くしておくことで、ディスプレイとレンズマーク（レンズマークが投影された像）との光軸方向における距離が短くなる。これによって、操作者の視線方向の変化によるアライメントマークとレンズマークとが一致する位置のずれが軽減され、眼鏡レンズの正確な位置にカップを取り付けることができる。
【００９３】
＜変容例＞
なお、本実施例では、ディスプレイ１３を用いて、ディスプレイ１３にアライメントマークを表示するとともに、光源１１を用いてレンズＬＥを照明し、擦りガラス１４にレンズＬＥの印点像Ｓ２を投影することによって、アライメントマークと印点像Ｓ２を位置合わせする構成を例に挙げて説明したがこれに限定されない。例えば、透過型のスクリーンとプロジェクタを用いることで、アライメントマークと印点像Ｓ２を位置合わせする構成としてもよい。この場合、プロジェクタを用いてレンズＬＥを照明することで、レンズＬＥの印点像Ｓ１がスクリーンに投影されるようにしてもよい。また、プロジェクタでアライメントマークを出力することで、レンズＬＥの印点像Ｓ１とともに、アライメントマークがスクリーンに投影される。操作者は、スクリーンを観察しながら、アライメントマークと印点像Ｓ２を位置合わせすることができる。
【００９４】
なお、本実施例では、ディスプレイ１３と擦りガラス１４を光軸Ｌ１方向に近い距離に配置することで、眼Ｅの視線方向（視軸）の変化により生じる印点像Ｓ２ｂのずれを低減させる構成を例に挙げて説明したがこれに限定されない。例えば、ディスプレイ１３は擦りガラス１４を兼ねてもよい。より詳細には、ディスプレイ１３は、アライメントマークを表示するとともに、アライメントマークとは異なる領域を半透明に表示してもよい。例えば、アライメントマークとは異なる領域が半透明であることで、レンズＬＥの像（印点像Ｓ１、外形像ＬＥｓ、小玉の像、プリントマークの像、等）をディスプレイ１３に投影することができる。操作者は、ディスプレイ１３に投影されたレンズＬＥの像を観察するとともに、ディスプレイ１３に表示されたアライメントマークを観察することで、レンズＬＥとアライメントマークを位置合わせし、レンズＬＥにカップＣｕを取り付けてもよい。
【００９５】
例えば、このように、本実施例におけるカップ取付装置は、眼鏡レンズに測定光束を照射する光源を備え、ディスプレイは調整手段を兼ね、アライメントマークとは異なる領域を半透明に表示し、アライメントマークとは異なる領域にレンズマークを投影することで、ディスプレイとレンズマークとの光軸方向における距離を短くする。このような構成であると、眼鏡レンズのレンズマークがディスプレイに投影される。ディスプレイとレンズマーク（レンズマークが投影された像）との光軸方向における距離があかないため、操作者の視線方向が変化しても、アライメントマークとレンズマークとが一致する位置のずれが生じず、眼鏡レンズの正確な位置にカップを取り付けることができる。
【００９６】
なお、本実施例では、ディスプレイ１３の下部に擦りガラス１４を配置する構成を例に挙げて説明したがこれに限定されない。ディスプレイ１３の下部には、擦りガラス１４を必ずしも設ける必要はない。すなわち、ディスプレイ１３とレンズＬＥの間に投影部材を配置しない構成としてもよい。この場合、光源１１から照射され、集光レンズ１２に屈折された測定光束は、レンズＬＥを透過してディスプレイ１３に到達する。しかし、ディスプレイ１３とレンズＬＥの間に投影部材を配置しないと、眼Ｅはディスプレイ１３越しにレンズＬＥを直接観察することになり、眼Ｅの視線方向の変化による印点像Ｓ２ｂのずれが生じやすくなる。このため、ディスプレイ１３と、レンズＬＥと、はなるべく近い距離で配置することが好ましい。
【００９７】
例えば、本実施例では、ディスプレイ１３とレンズＬＥとを近い距離で配置するために、ディスプレイ１３を光軸Ｌ１方向に移動させるための移動機構、レンズＬＥを光軸Ｌ１方向に移動させるための移動機構、等を設け、ディスプレイ１３とレンズＬＥとの距離を調整できるようにしてもよい。一例として、第１アーム８ａにスライド機構を設け、第１アーム８ａを上下方向に移動可能とすることで、ディスプレイ１３を光軸Ｌ１方向に移動させてもよい。また、一例として、支持ピン３の高さを調節可能とすることで、レンズＬＥを光軸Ｌ１方向に移動させてもよい。
【００９８】
例えば、このように、本実施例におけるカップ取付装置において、調整手段は、ディスプレイと眼鏡レンズとの少なくともいずれかを移動させる。例えば、このような構成であると、眼鏡レンズを載置した後等に、ディスプレイとレンズマークとの光軸方向における距離を調整して短くすることができる。これによって、操作者の視線方向の変化によるアライメントマークとレンズマークとが一致する位置のずれが軽減され、眼鏡レンズの正確な位置にカップを取り付けることができる。
【符号の説明】
【００９９】
１  カップ取付装置
１０  アライメント機構
１３  ディスプレイ
１４  擦りガラス
２０  切換機構
３０  カップ取付機構
６０  制御部
【図１】
2020049631.tif 000003
【図２】
2020049631.tif 000004
【図３】
2020049631.tif 000005
【図４】
2020049631.tif 000006
【図５】
2020049631.tif 000007
【図６】
2020049631.tif 000008
【図７】
2020049631.tif 000009